(57)【要約】【課題】簡易な構成で、被掲示物を壁面等の被張り付け面に対して着脱自在にピッタリと張り付けて提示でき、被掲示物を保護し、必要に応じて透明の壁面の裏側にいる者に対しても被掲示物を提示することができるシート掲示具の提供を課題とする。【解決手段】透明シートからなる矩形形状の本体カバー１０と、本体カバー１０の上辺１０ａと下辺１０ｂの各裏面に沿って浅い段差２１をもって帯状に積層され、被張り付け面に接面して取り付くことができる一対の接面取り付け部２０とからなり、上下一対の接面取り付け部２０の段差２１間を被掲示物の収容部３０とすると共に、段差２１間寸法と本体カバー１０の上下辺１０ａ、１０ｂの辺寸法との組み合わせ寸法を、日本工業規格Ａ列、Ｂ列に属する寸法若しくは規格化された複数の写真寸法の何れか１つに該当する大きさの被掲示物が丁度入る平面寸法に構成してあるシート掲示具１である。【選択図】      図２
0003160023.tif 000002
【実用新案登録請求の範囲】
【請求項１】
壁等の被張り付け面に写真等のシート状被掲示物を張り付けた状態に掲示するシート掲示具であって、透明シートからなる矩形形状の本体カバーと、該本体カバーの上辺と下辺の各裏面に沿って浅い段差をもって帯状に積層され、前記被張り付け面に接面して取り付くことができる一対の接面取り付け部とからなり、該上下一対の接面取り付け部の段差間を被掲示物の収容部とすると共に、前記段差間寸法と前記本体カバーの上下辺の辺寸法との組み合わせ寸法を、日本工業規格Ａ列、Ｂ列に属する寸法若しくは規格化された複数の写真寸法の何れか１つに該当する大きさの被掲示物が丁度入る平面寸法に構成してあることを特徴とするシート掲示具。
【請求項２】
接面取り付け部の積層は、透明な本体カバーを介して見える側の上層と、該上層の下にある下層とからなり、下層は被張り付け面に接面して取り付くことが可能な材質からなる層で構成してあることを特徴とする請求項１に記載のシート掲示具。
【請求項３】
接面取り付け部の下層は、吸着層で構成してあることを特徴とする請求項２に記載のシート掲示具。
【請求項４】
接面取り付け部の下層は、粘着剤を担持させた吸着層で構成してあることを特徴とする請求項３に記載のシート掲示具。
【請求項５】
接面取り付け部の下層は、非移行性の粘着層で構成してあることを特徴とする請求項２に記載のシート掲示具。
【請求項６】
接面取り付け部の下層は、強磁性を有する軟質層で構成してあることを特徴とする請求項２に記載のシート掲示具。
【請求項７】
接面取り付け部の上層は、印刷可能な材質からなる層で構成してあることを特徴とする請求項２〜６の何れかに記載のシート掲示具。
【請求項８】
接面取り付け部の段差を０．２ｍｍ〜２ｍｍの範囲に構成してあることを特徴とする請求項１〜７の何れかに記載のシート掲示具。
【考案の詳細な説明】
【技術分野】
【０００１】
本考案は、壁等の被張り付け面に写真等のシート状の被掲示物を張り付けた状態に掲示するのに用いるシート掲示具に関する。
【背景技術】
【０００２】
従来、広告、チラシ、お知らせ、ビジネス書類、メモ、写真等のシート状の被掲示物を壁等の被張り付け面に掲示するための掲示具が提供されている。
このようなものとして、例えば下記特許文献１〜３がある。
下記特許文献１、２はクリップで、掲示の対象となる被掲示物をマグネットで挟んで保持し、粘着部や吸盤で壁面等に取り付けるようにしたものである。
下記特許文献３は掲示用具で、被掲示物を透明シートからなる袋（具本体）（１）に収容するようにし、その透明の袋（１）を支持プレート（２）に設けたピンや磁石からなる止め具（３ａ、３ｂ）で壁面等に取り付けるようにしたものである。
【先行技術文献】
【特許文献】
【０００３】
【特許文献１】特開平１０−５０５１６号公報
【特許文献２】特開２０００−１１０８２１号公報
【特許文献３】実用新案登録第３１３５０１４号公報
【考案の概要】
【考案が解決しようとする課題】
【０００４】
上記特許文献１、２のクリップにおいては、被掲示物がクリップで挟まれることで、その挟まれた部分がクリップによって隠れてしまうという問題がある。またクリップのある部分だけで被掲示物が保持されるので、シートが壁面等にピッタリと張り付けたようには取り付けることができず、壁面等に提示された状態で被掲示物の一部が壁面から離れて湾曲した状態になり易いという問題がある。
上記特許文献３の掲示用具においては、透明の袋（１）に掲示対象のシートを入れることで、前面側からはシートの一部が隠されることなく掲示することができるものの、支持プレート（２）や止め具（３ａ、３ｂ）が透明ではないため、透明壁の裏面側から掲示物を見ることができるようにする場合には、前記支持プレート（２）や止め具（３ａ、３ｂ）が邪魔になる問題がある。また特許文献３の掲示用具の場合は、支持プレート（２）のある部分だけで袋（１）が壁面等に取り付けられるので、その袋（１）及びそれに収容されたシートの全域で壁面等にピッタリと張り付いて掲示されるとは限らず、その一部が壁面から離れたりする問題がある。また袋（１）の場合、袋（１）の表裏のシートが相互にゆがみ易く、中に入れられた掲示用の紙等が見づらくなるという問題も生じる。
【０００５】
そこで本考案は上記従来における問題点を解決し、簡易な構成で、シート状の被掲示物を壁面等の被張り付け面にピッタリと張り付けた状態にして提示することができ、被掲示物が汚れたり傷ついたりするのを十分に保護し、且つシート掲示具の存在が被掲示物の邪魔とならず、勿論、必要に応じて透明の壁面の裏側にいる者に対しても被掲示物をその全域で確実に提示することができる、壁等への着脱が自在のシート掲示具の提供を課題とする。
【課題を解決するための手段】
【０００６】
本考案のシート掲示具は、壁等の被張り付け面に写真等のシート状被掲示物を張り付けた状態に掲示するシート掲示具であって、透明シートからなる矩形形状の本体カバーと、該本体カバーの上辺と下辺の各裏面に沿って浅い段差をもって帯状に積層され、前記被張り付け面に接面して取り付くことができる一対の接面取り付け部とからなり、該上下一対の接面取り付け部の段差間を被掲示物の収容部とすると共に、前記段差間寸法と前記本体カバーの上下辺の辺寸法との組み合わせ寸法を、日本工業規格Ａ列、Ｂ列に属する寸法若しくは規格化された複数の写真寸法の何れか１つに該当する大きさの被掲示物が丁度入る平面寸法に構成してあることを第１の特徴としている。
また本考案のシート掲示具は、上記第１の特徴に加えて、接面取り付け部の積層は、透明な本体カバーを介して見える側の上層と、該上層の下にある下層とからなり、下層は被張り付け面に接面して取り付くことが可能な材質からなる層で構成してあることを第２の特徴としている。
また本考案のシート掲示具は、上記第２の特徴に加えて、接面取り付け部の下層は、吸着層で構成してあることを第３の特徴としている。
また本考案のシート掲示具は、上記第３の特徴に加えて、接面取り付け部の下層は、粘着剤を担持させた吸着層で構成してあることを第４の特徴としている。
また本考案のシート掲示具は、上記第２の特徴に加えて、接面取り付け部の下層は、非移行性の粘着層で構成してあることを第５の特徴としている。
また本考案のシート掲示具は、上記第２の特徴に加えて、接面取り付け部の下層は、強磁性を有する軟質層で構成してあることを第６の特徴としている。
また本考案のシート掲示具は、上記第２〜第６の何れかに記載の特徴に加えて、接面取り付け部の上層は、印刷可能な材質からなる層で構成してあることを第７の特徴としている。
また本考案のシート掲示具は、上記第１〜第７の何れかに記載の特徴に加えて、接面取り付け部の段差を０．２ｍｍ〜２ｍｍの範囲に構成してあることを第８の特徴としている。
【考案の効果】
【０００７】
請求項１に記載のシート掲示具によれば、規格化された寸法を持つ写真等の被掲示物を、本体カバー裏面の上下の接面取り付け部の段差間の収容部に配置し、その状態で本体カバーの裏面側が被張り付け面に対面するようにして、前記接面取り付け部で被張り付け面に着脱自在に接面して取り付ける。これによって被掲示物を壁面等の被張り付け面にピッタリと張り付けて掲示することができる。即ち、被掲示物は被張り付け面と本体カバーとで挟まれた状態にピッタリと保持されて掲示される。
被張り付け面に掲示された被掲示物は透明の本体カバーで覆われるので、汚れ等が付くのが防止されると共に、端部等が曲がったり傷ついたりするのが予防される。
段差間寸法と本体カバーの上下辺の辺寸法との組み合わせ寸法を、日本工業規格Ａ列、Ｂ列に属する寸法若しくは規格化された複数の写真寸法の何れか１つに該当する大きさの被掲示物が丁度入る平面寸法に構成してあるので、通常の写真や書面等に対して対応する寸法のシート掲示具を選択することで、被掲示物を上下の接面取り付け部の段差間の収容部に丁度入れることができ、被掲示物の姿勢を良好に保って洗練された状態で掲示することができる。勿論、接面取り付け部が邪魔となって被掲示物の一部が隠れてしまうこともない。
また被掲示物を張り付ける壁等が透明である場合には、壁等の裏側にいる者に対しても、何ら邪魔者なく、被掲示物を掲示することができる。即ち、透明壁の反対側（裏側）にいる者に対して掲示を行う場合には、被掲示物の向きを反対にした状態に収容して、シート掲示具を透明壁に取り付けることで、被掲示物を、透明壁を介して透過壁の反対側からも見ることができる。勿論、１枚のシートの両面に印刷等がされたもの、或いは被掲示物の２枚を裏合わせ状態にしたものをシート掲示具に収容させることで、透明壁の表側と裏側の両側から被掲示物を見ることができる。
構造は透明シートからなる本体カバーの裏面に一対の接面取り付け部を積層して設けるだけであるので、構造が非常に簡単、簡素である。このため製造コストを安価にできると共に、分別回収も容易に行えるメリットがある。
【０００８】
請求項２に記載のシート掲示具によれば、上記請求項１の構成による作用効果に加えて、接面取り付け部の積層は、透明な本体カバーを介して見える側の上層と、該上層の下にある下層とからなり、下層は被張り付け面に接面して取り付くことが可能な材質からなる層で構成してあるので、
透明の本体カバーを介して見える上層を、被張り付け面に対して接面して取り付ける必要のある下層とは異なる材質により構成することが可能となり、よって見た目の綺麗な色の紙やその他のシートを用いて、バラエティに富んだシート掲示具を提供することができる。
【０００９】
請求項３に記載のシート掲示具によれば、上記請求項２の構成による作用効果に加えて、接面取り付け部の下層は、吸着層で構成してあるので、
接面取り付け部の下層により、ガラス壁、金属壁、樹脂壁、その他の材料からなる壁の、少なくとも平滑な表面を備えた壁面に対して、繰り返し、着脱自在に接面して取り付けることができる。
【００１０】
請求項４に記載のシート掲示具によれば、上記請求項３の構成による作用効果に加えて、接面取り付け部の下層は、粘着剤を担持させた吸着層で構成してあるので、
吸着層により、ガラス壁、金属壁、樹脂壁、その他の材料からなる壁の、少なくとも平滑な表面を備えた壁面に対して、繰り返し、着脱自在に接面して着座させることができる。加えて、粘着剤が吸着層に担持されているので、その粘着剤が消耗しない状態では、吸着に粘着が加わって、一層確実に壁面に取り付けることができる。また平滑性に多少劣る壁面にも取り付けることができる。なお、粘着剤は吸着層に含浸させた状態で担持させることで、比較的長期に亘ってその粘着効果を持続させることができる。
【００１１】
請求項５に記載のシート掲示具によれば、上記請求項２に記載の構成による作用効果に加えて、接面取り付け部の下層は、非移行性の粘着層で構成してあるので、
使用後にガラス等の壁面に粘着層がこびりつくことも予防できる。勿論、複数回数に亘って着脱を繰り返すことができる。
【００１２】
請求項６に記載のシート掲示具によれば、上記請求項２に記載の構成による作用効果に加えて、接面取り付け部の下層は、強磁性を有する軟質層で構成してあるので、
磁石が吸着できる壁面等に対して、簡単に取り付けて着座させることができる。
【００１３】
請求項７に記載のシート掲示具によれば、上記請求項２〜６の何れかに記載の構成による作用効果に加えて、接面取り付け部の上層は、印刷可能な材質からなる層で構成してあるので、
上層を色彩やデザインを施した印刷面とすることで、一種の額縁の如く綺麗に仕上げることができる。勿論、接面取り付け部の上層を何かの宣伝用にも用いることができる。
【００１４】
請求項８に記載のシート掲示具によれば、上記請求項１〜７の何れかに記載の構成による作用効果に加えて、接面取り付け部の段差を０．２ｍｍ〜２ｍｍの範囲に構成してあるので、
掲示対象であるシートの一般的な厚みの範囲である０．１〜０．５ｍｍ程度に対して深すぎることがないので、シートを本体カバーに対してほぼ平行に収容することができ、壁面に沿ってピッタリとした掲示とすることができる。また浅すぎることもなく、２枚のシートを裏返しに合わせて両面掲示とする程度の深さも確保することができる。
【図面の簡単な説明】
【００１５】
【図１】本考案の実施形態に係るシート掲示具の正面図である。
【図２】本考案の実施形態に係るシート掲示具の背面図である。
【図３】本考案の実施形態に係るシート掲示具の縦断面図である。
【図４】本考案の実施形態に係るシート掲示具を壁面に取り付けた状態を示す断面図である。
【考案を実施するための形態】
【００１６】
以下の図面を参照して、本考案に係るシート掲示具を説明し、本考案の理解に供する。しかし、以下の説明は本考案の実用新案登録請求の範囲に記載の考案を限定するものではない。
【００１７】
図１〜図４を参照し、本考案に係るシート掲示具１は、本体カバー１０と接面取り付け部２０とからなる。
このシート掲示具１は、写真としての被掲示物Ｓ、広告、チラシ、お知らせ、ポスター等の被掲示物Ｓ、模様や図等の絵柄としての被掲示物Ｓ、それら文字、写真、絵柄の組み合わせからなる被掲示物Ｓ、その他の掲示することができるものを対象とし、壁Ｗやその他の垂直面、傾斜面、水平面等の被着張り付け面Ｆに掲示するものである。また被掲示物Ｓとしては、紙、プラスチック、その他の材料からなるシート状のものを対象とする。
【００１８】
前記本体カバー１０は、矩形形状の透明シートからなる。本体カバー１０の使用材料は塩化ビニルとする。しかし、その他の樹脂材料を用いることもできる。塩化ビニルを用いた場合には、静電気の発生により被掲示物Ｓを、皺がよることなく、ピッタリと本体カバー１０に接面して保持させることができる。
前記において矩形形状とは、正方形、長方形、及びそれらの四隅が少し落とされたような略正方形、略長方形を含む概念である。また前記透明シートとは光が透過するシートを言うが、光の透過率が１００％である必要はなく、本体カバー１０の下にある被掲示物Ｓ記載内容が見えるものであればよい。勿論、色つきの透過シートも可能である。
本体カバー１０の厚みは、特に限定されるものではないが、例えば０．２ｍｍ〜２ｍｍ程度とすることができる。この程度の厚みを与えることで、光の十分な透過性を確保すると共に、被掲示物Ｓの保護を十分に行え、また壁Ｗ等の被張り付け面Ｆへの接面をピッタリとしたものにすることができる。
【００１９】
前記接面取り付け部２０は、シート掲示具１を壁Ｗ等の被張り付け面Ｆに着脱自在に取り付ける役割を果たすものである。この接面取り付け部２０は本体カバー１０の上辺１０ａと下辺１０ｂの各裏面に沿って浅い段差２１をもって、一定の幅と厚みをもつ帯状に積層されて構成されている。
前記上下一対の接面取り付け部２０、２０の段差２１、２１間が被掲示物Ｓの収容部３０となる。
【００２０】
前記接面取り付け部２０は上下２層からなる。透明の本体カバー１０を介して見える上層２０ａは印刷可能な材質からなる層で構成している。これによって、本体カバーを介して見える接面取り付け部２０の上層２０ａを、色彩やデザインを施した印刷面とすることで、一種の額縁の如く綺麗に仕上げることができる。また宣伝用に用いることができるのでメリットがある。
一方、上層２０ａに対する下層２０ｂは被張り付け面Ｆに接面して取り付くことが可能な材質からなる層で構成している。
【００２１】
接面取り付け部２０の下層２０ｂは、吸着層によって構成することができる。吸着層の表面を全面で壁面Ｗ等の被張り付け面Ｆに押し当てることで、被張り付け面Ｆへの吸着がなされ、これによってシート掲示具１が接面状態に被張り付け面Ｆに取り付けられる。また接面取り付け部２０の吸着層を被張り付け面Ｆから剥がすことで、シート掲示具１を被張り付け面Ｆから取り外すことができる。何回も繰り返して使用することができる。
接面取り付け部２０に吸着層を用いたシート掲示具１の場合は、吸着を利用した取り付けであることから、平滑な表面を持つ壁等の被張り付け面Ｆに好ましく、着脱自在に繰り返して使用することができる。例えばガラス表面、金属表面、樹脂表面、その他表面粗さの小さい材料表面に好適である。
前記吸着層としては、少なくとも被張り付け面Ｆに対面する吸着層表面の全面に吸着特性を保有する材料を用いている。
【００２２】
更に前記接面取り付け部２０の下層２０ｂは、粘着剤を担持させた吸着層によって構成することができる。粘着剤を担持させることで、吸着力に加えて粘着力を発揮し、被張り付け面Ｆへの取り付けが一層確実に行える。また平滑性に多少劣る壁面Ｗにも取り付けることができる。
前記粘着剤の担持は、例えば非移行性の粘着剤を吸着層に含浸させることによって行うことができる。含浸させることで、長期に亘って粘着の効果を持続させることができる。
【００２３】
前記接面取り付け部２０の下層２０ｂは、粘着層によって構成することができる。この粘着層は複数回繰り返して使用できるものとする。また粘着層は非移行性の粘着剤とし、シート提示具１を壁Ｗ等の被張り付け面Ｆから取り外す際に、粘着剤が被張り付け面Ｆ側に残留しないようにしている。
【００２４】
前記接面取り付け部２０の下層２０ｂは、強磁性を有する軟質層で構成することができる。この強磁性を有する軟質層は、例えば強磁性の磁石粉を分散させたゴムや軟質のプラスチックとすることができる。このような強磁性を有する接面取り付け部２０を用いることで、金属製の壁Ｗやその他、磁石が吸着できるようにした壁Ｗ等の被張り付け面Ｆに対して複数回繰り返して使用することができる。
【００２５】
前記接面取り付け部２０は、例えば両面テープを用いて構成することができる。即ち、接面取り付け部２０の上層２０ａと下層２０ｂとを予め接着剤等で接合してテープ状としたものを用い、このテープの上層２０ａの表面側を接着剤等で本体カバー１０の裏面側に、容易に剥離しないように接合して接面取り付け部２０とする。テープの下層２０ｂが壁Ｗ等の被張り付け面Ｆに対する取り付け面となる。
【００２６】
前記上下一対の接面取り付け部２０の段差２１、２１間の領域である収容部３０に被掲示物Ｓを収容し、シート掲示具１を壁Ｗ等の被張り付け面Ｆに取り付けることで、被掲示物Ｓを現に壁Ｗ面等に張り付けた状態にして掲示することができる。このとき被掲示物Ｓは本体カバー１０で保護される。
【００２７】
前記段差２１、２１間寸法と前記本体カバー１０の上下辺１０ａ、１０ｂの辺寸法との組み合わせからなる平面寸法は、これを日本工業規格Ａ列、Ｂ列に属する寸法若しくは規格化された複数の写真寸法の何れか１つに該当する大きさの被掲示物Ｓが丁度入る寸法に構成してある。即ち、手札、大判、四つ切、八つ切等の規定の写真寸法に属する規定の寸法、Ａ２、Ａ３、Ａ４等のＡ列に属する規定の寸法、Ｂ４、Ｂ５等のＢ列に属する規定の寸法の何れかの寸法に対応して、その寸法の被掲示物Ｓが丁度入る平面寸法に定めている。ここで、「丁度入る平面寸法」とは、それら規定寸法（縦横寸法）に対して収容部３０平面寸法（縦横寸法）を同じ寸法にする他、多少大きい平面寸法（縦横寸法）、例えば縦寸法、横寸法をそれぞれ数ミリ程度以下大きくした平面寸法を含み、収容部３０に被掲示物Ｓに対する多少の余裕を持たせた平面寸法を言うものとする。別な言い方をすると、被掲示物Ｓを収容部３０に配置し易く、且つ配置した状態で被掲示物Ｓの姿勢が段差２１によって規制されて、右上がりや左上がりに傾かない状態となる平面寸法を言うものとする。
【００２８】
前記段差２１の寸法は、例えば０．２ｍｍ〜２ｍｍの範囲に浅く構成する。紙等の被掲示物Ｓの一般的な厚みは０．１〜０．５ｍｍ程度であるので、段差２１の深さを前記０．２ｍｍ〜２ｍｍ程度とすることで、被掲示物Ｓを入れたときに、大きな過不足が生じることなく収容することができる。よって壁面Ｗ等の被張り付け面Ｆにシート掲示具１を取り付けた状態で、被掲示物Ｓが該被張り付け面Ｆにも、また本体カバー１０にも平行な状態に維持することができる。もし段差２１が深すぎる場合には、収容部３０の被掲示物Ｓが曲がったりし易くなり、綺麗な掲示が確保できなくなる。
また段差２１を前記の深さとすることで、２枚のシートを裏返しに合わせて収容する場合にも、２枚ぐらいなら十分に収容が可能である。
【００２９】
なお前記接面取り付け部２０の帯の幅は、収容部３０の平面寸法の大きさに応じた幅寸法とすることができる。
【００３０】
図３、４を参照して、シート掲示具１の使い方を説明すると、先ず壁Ｗの表側（図３、４の壁Ｗの左側）に被掲示物Ｓによる掲示を行う場合、この場合は被掲示物Ｓの掲示対象面（表面）を本体カバー１０に向けて収容部３０に収容し、その状態でシート掲示具１の接面取り付け部２０を壁Ｗの被張り付け面Ｆに着座させる。接面取り付け部２０は被掲示物Ｓの上下に外れているので、被掲示物Ｓの全体が透明の本体カバー１０を介して壁Ｗの表側から見ることができる。
次に、被掲示物Ｓによる掲示を透明な壁Ｗの裏側（図３、４の壁Ｗの右側）に対して行う場合、この場合は被掲示物Ｓの掲示対象面（表面）を本体カバー１０とは反対に向けて収容部３０に収容し、その状態で接面取り付け部２０を壁Ｗの被張り付け面Ｆに取り付ける。これによって被掲示物Ｓの全体が透明の壁Ｗを介して壁Ｗの裏側から見ることができる。
更に被掲示物Ｓによる掲示を壁Ｗの両側から見えるようにする場合、この場合は被掲示物Ｓの２枚を一対で裏合わせ状態にしてシート掲示具１の収容部３０に収容し、その状態で接面取り付け部２０を壁Ｗの被張り付け面Ｆに取り付ける。勿論、被掲示物Ｓの両面に印刷等がされている場合は、その１枚の被掲示物Ｓをシート掲示具１の収容部３０に収容させるだけでよい。これによって透明壁Ｗの表側と裏側の両側から、それぞれ被掲示物Ｓの掲示内容の全てを見ることができる。
【産業上の利用可能性】
【００３１】
本考案は写真等の被掲示物Ｓを壁Ｗやその他の被張り付け面Ｆに掲示することができるシート掲示具１として産業上利用することができる。
【符号の説明】
【００３２】
１            シート掲示具
１０          本体カバー
１０ａ        上辺
１０ｂ        下辺
２０          接面取り付け部
２０ａ        上層
２０ｂ        下層
２１          段差
３０          収容部
Ｓ            被掲示物
Ｆ            被張り付け面
Ｗ            壁
【図１】
0003160023.tif 000003
【図２】
0003160023.tif 000004
【図３】
0003160023.tif 000005
【図４】
0003160023.tif 000006